(57)【要約】 【課題】  光学ファインダを覗きながら瞳ＡＦモードで撮影する際に、測距点に目が重ならないと瞳ＡＦができない。【解決手段】  光学ファインダおよびサブセンサを有する撮像装置において、前記サブセンサによって得られた画像から検出した顔の器官の位置情報を取得する検出手段と、前記検出手段により取得した器官の位置情報と測距点の位置情報を比較し、一致するか否かを判定する位置判定部と、前記位置判定部の判定結果に応じて前記光学ファインダ上にアイコンを表示する制御部を有し、前記位置判定部において器官の位置情報と測距点の位置情報が不一致すると判定した場合、前記制御部は、前記光学ファインダ上に、器官を測距点に合わせるよう誘導する第１のアイコンを表示することを特徴とする。【選択図】  図２
2019023686.tif 000002
【特許請求の範囲】
【請求項１】
光学ファインダおよびサブセンサを有する撮像装置において、
前記サブセンサによって得られた画像から検出した顔の器官の位置情報を取得する検出手段と、
前記検出手段により取得した器官の位置情報と測距点の位置情報を比較し、一致するか否かを判定する位置判定部と、
前記位置判定部の判定結果に応じて前記光学ファインダ上にアイコンを表示する制御部を有し、
前記位置判定部において器官の位置情報と測距点の位置情報が不一致すると判定した場合、前記制御部は、前記光学ファインダ上に、器官を測距点に合わせるよう誘導する第１のアイコンを表示することを特徴とする撮像装置。
【請求項２】
前記位置判定部において器官の位置情報と測距点の位置情報が一致すると判定した場合、前記制御部は、器官と測距点が重なったことを明示する第２のアイコンを表示することを特徴とする請求項１に記載の撮像装置。
【請求項３】
撮影者から合焦指示を受け付けるための操作入力手段をさらに有し、
前記制御部において前記合焦指示を受け付けると、前記位置判定部において器官の位置情報と測距点の位置情報が不一致すると判定した場合、前記位置判定部において器官の位置情報を記憶し、前記制御部は、前記光学ファインダ上に器官の位置を視覚的に覚えておくための第３のアイコンを表示することを特徴とする請求項１または２に記載の撮像装置。
【請求項４】
前記位置判定部において、記憶した前記器官の位置情報と、前記検出手段において検出された器官の位置情報が不一致すると判定した場合、前記制御部は、前記光学ファインダ上に前記第３のアイコンに器官を重ねるよう誘導する第４のアイコンを表示することを特徴とする請求項３に記載の撮像装置。
【発明の詳細な説明】
【技術分野】
【０００１】
本発明は、光学ファインダを有する焦点調節装置及び焦点調節方法に関し、特に、人物の眼に焦点を合わせるための焦点調節装置及び焦点調節方法に関する。
【背景技術】
【０００２】
近年、撮像装置を用いて人物を撮影する際に、人物の眼にオートフォーカスする機能（以降、瞳ＡＦと呼ぶ）が開発されてきている。具体的には、入力画像に対して顔検出および器官検出を行うことにより眼の位置を検出し、眼の位置においてコントラストＡＦや位相差ＡＦでピントを合わせる。
【０００３】
瞳ＡＦの従来技術として特許文献１が提案されている。特許文献１では、瞳ＡＦと通常ＡＦの両機能を併せ持つＡＦ制御部において、ポートレート撮影では瞳ＡＦモードに切り替え、それ以外の一般撮影では通常ＡＦモードに切り替える。
【０００４】
一方、レフレックスファインダを備える撮像装置を用いたポートレート撮影においては、カメラをしっかりホールドするためであったり、被写体をリアルタイムにとらえるために、ファインダ撮影をすることが多いと考えられる。ファインダ撮影では、測距センサを用いることにより、あらかじめ位置が定められた測距点において位相差ＡＦが行われる。
【０００５】
人物をファインダ撮影する際に合焦状態を明示する従来技術として特許文献２が提案されている。特許文献２では、検出された人物の顔が、測距点において合焦されたかどうかを判定し、合焦判定結果に応じて顔枠の色を変更する。
【先行技術文献】
【特許文献】
【０００６】
【特許文献１】特開２００２−１６２５５９号公報
【特許文献２】特開２０１０−１０３６１５号公報
【発明の概要】
【発明が解決しようとする課題】
【０００７】
しかしながら、ファインダを覗いてポートレートを瞳ＡＦモードで撮影する場合、構図を決めたにも関わらず、人物の眼が測距点に重ならずに瞳ＡＦができない場合があると考えられる。
【０００８】
また、エントリーユーザーである場合、人物の眼に測距点を重ねてピントを合わせてから、決めた構図に戻してシャッターを切るという一般的なテクニックを知らないユーザーもいると想定される。さらに、エントリー向けの撮像装置であれば、測距点の数が少ないため、眼が重ならない頻度がより高いと考えられる。
【０００９】
特許文献１においては、ファインダ撮影についての記述がないため、測距点に眼が重ならない場合を考慮できていない。特許文献２においては、人物の顔に合焦できたか否かの結果を表示するに留まっており、合焦させたい被写体に合焦させられるような対策が考慮されていない。
【００１０】
そこで、本発明では、ファインダ撮影においても瞳ＡＦができるように、ユーザーにアシストをすることを目的とする。
【課題を解決するための手段】
【００１１】
上記目的を達成するために、本発明は、
光学ファインダおよびサブセンサを有する撮像装置において、
前記サブセンサによって得られた画像から検出した顔の器官の位置情報を取得する検出手段と、
前記検出手段により取得した器官の位置情報と測距点の位置情報を比較し、一致するか否かを判定する位置判定部と、
前記位置判定部の判定結果に応じて前記光学ファインダ上にアイコンを表示する制御部を有し、
前記位置判定部において器官の位置情報と測距点の位置情報が不一致すると判定した場合、前記制御部は、器官を測距点に合わせるように、前記光学ファインダ上に誘導を表示することを特徴とする。
【発明の効果】
【００１２】
ファインダを用いた撮影において、瞳ＡＦができるようユーザーをアシストすることが可能となる。
【図面の簡単な説明】
【００１３】
【図１】撮像装置１００の構成を説明する図
【図２】瞳ＡＦモード時のファインダ部１０３の表示を示す図
【図３】構図優先モード時のファインダ部１０３の表示を示す図
【図４】撮像装置１００のフローチャート
【図５】Ｓ４０４のフローチャート
【図６】Ｓ４０７のフローチャート
【発明を実施するための形態】
【００１４】
以下、本発明の実施形態について図面を参照して説明する。
【００１５】
［実施例１］
本実施例における撮像装置１００は、ＡＦモードとして顔優先ＡＦモード、瞳ＡＦモードを備えているものとする。瞳ＡＦモードは、眼に合焦させるモードであり、さらに、測距点に眼が重ならない場合にアシスト表示を発動する。さらに、瞳ＡＦモードの中に構図優先モードを含んでいる。構図優先モードは、構図を決めた眼の位置を覚えておき、瞳ＡＦ後、もとの眼の位置に戻してアシストを発動する。
【００１６】
図１を用いて、本発明における撮像装置１００の構成について説明する。１０１は、レンズである。１０２は、レンズ１０１より入射した光を、後述するファインダ部１０３、測距センサ１０４および測光センサ１０６に導くためのミラー機構である。
１０３は、光学的に被写体像を表示し、同時に、被写体の合焦位置を表示することのできるファインダ部である。
【００１７】
１０４は、レンズ１０１より入射した光学像を光電変換し、得られたアナログ信号にＡ／Ｄ変換処理を適用し、デジタルの測距用信号を得る測距センサである。１０５は、測距センサ１０４によって得られた測距用信号から、測距点の位置において測距演算を行い、ＡＦ用評価信号を後述するＣＰＵ１１０へ出力する焦点検出部である。
【００１８】
１０６は、レンズ１０１より入射した光学像を光電変換し、得られたアナログ信号にＡ／Ｄ変換処理を適用し、デジタルの画像信号を得る測光センサである。１０７は、測光センサ１０６より得られた画像信号に対して、補間処理や色変換処理、特定のサイズへ変倍する変倍処理などの画像処理を施し、評価用画像を得る画像処理部である。
【００１９】
１０８は、画像処理部１０７により得られた評価用画像から、人物の顔を検出する顔検出や、顔の中から眼を検出する器官検出を行い、顔や眼のサイズ情報や位置座標などを含む位置情報の取得、および主眼判定をする検出部である。１０９は、検出部１０８において得られた眼の位置情報が、測距点の位置情報と一致するか否かを判定する位置判定部である。１１０は、撮像素子１００の各部を制御するＣＰＵである。特に、顔優先ＡＦモードおよび瞳ＡＦモードを実行するために、検出部１０８において得られた顔や眼の位置情報に応じて測距点を選択する。
【００２０】
そして、焦点検出部１０５より得られたＡＦ用評価信号を用いて、測距点の位置においてピントが合うようにレンズ１０１を制御するよう、後述するレンズ制御部１１２に指示を送信する。また、位置判定部１０９において得られた判定結果に応じて、ファインダ部１０３に表示指示を送信する。
【００２１】
１１１は、撮影者によるシャッター指示を受けるための釦状で構成された操作部である。操作部１１１を半押しした状態は、合焦開始の指示であり、ＳＷ１と呼ぶこととする。また、操作部１１１を全押しした状態は、撮影開始の指示であり、ＳＷ２と呼ぶこととする。１１２は、ＣＰＵ１１０より送信された制御指示に従って、レンズ１０１を駆動させるレンズ制御部である。１１３は、レンズ１０１より入射した光学像を光電変換し、得られたアナログ信号にＡ／Ｄ変換処理を適用し、デジタルの画像信号を得るセンサである。
【００２２】
１１４は、センサ１１３より得られた画像信号に対して、補間処理や色変換処理、特定のサイズへ変倍する変倍処理などの画像処理を施し、画像を得る画像処理部である。なお、画像処理部１１４に入力される画像信号は、センサから直接入力される場合もあるし、ＤＲＡＭ１１７に一度保存してから入力される場合もある。
【００２３】
１１５は、ＪＰＥＧ圧縮方式などで画像を圧縮伸長するための圧縮伸長部である。１１６は、圧縮した画像を保存する、例えばＳＤカードなどの記録媒体である。１１７は、画像の一時保存や、圧縮用一時バッファとして用いるためのＤＲＡＭである。
【００２４】
次に、図２を用いて、瞳ＡＦモードによる撮影における、ファインダ部１０３の表示内容について具体的に説明する。
【００２５】
２００はファインダ部１０３における表示を示しており、人物２０１を被写体とし、眼２０３を測距点２０２に重ねて合焦するようアシストすることを想定している。なお、合焦の対象とする主眼を左右どちらの眼にするかは、公知の技術である眼の大きい方を手前側とみなして主眼としてもよいし、撮影者によって図示しないタッチパネルや操作部を操作して決定してもよい。
【００２６】
また、瞳ＡＦをする測距点の選択方法として、本実施例では、顔優先ＡＦと同様の公知の方法を用い、顔の位置にある測距点を選択することとする。なお、主眼から最も近い位置にある測距点を選択してもよいし、最も精度のよい測距点を選択してもよい。
【００２７】
図２（ａ）は、眼２０３がどの測距点にも重なっていない状態を示している。図２（ａ）の状態において、撮影者が操作部１１１からＳＷ１を押した場合、図２（ｂ）に示すように、測距点２０２を強調表示し、同時に、眼２０３から測距点２０２へ向けて矢印型のアイコン２０４を表示する。撮影者は、ＳＷ１を押したまま、眼２０３が測距点２０２に重なるように撮像装置１００を動かす。
【００２８】
図２（ｃ）に示すように、眼２０３が測距点２０２に重なったら、合焦したことが分かるように測距点２０２の強調表示を変更する。図２（ｃ）では、強調表示を一重線から二重線に変更している。また、アイコン２０４を非表示とし、代わりに、合焦したことが分かるようなアイコン２０５を表示する。図２（ｃ）では『ＯＫ！』という文字をアイコン２０５としている。
【００２９】
撮影者はアイコン２０５を確認したら、そのままＳＷ２を押して撮影する。なお、アイコン２０５は、撮影者が直観的にＳＷ２を押すように導くような表現のものが望ましい。
【００３０】
次に、図３を用いて、瞳ＡＦモードによる撮影、且つ、ＳＷ１を押したときの構図で撮影したい場合に適する構図優先モードにおける、ファインダ部１０３の表示内容について具体的に説明する。なお、図２と同じ部品は同じ番号を付してある。
【００３１】
図３（ａ）は、撮影者が撮影したい構図であり、瞳ＡＦで撮影したいが、眼２０３がどの測距点にも重なっていない状態を示している。図３（ａ）の状態において、撮影者が操作部１１１からＳＷ１を押した場合、図３（ｂ）に示すように、測距点２０２を強調表示し、同時に、眼２０３から測距点２０２へ向けて矢印型のアイコン２０４を表示する。さらに、構図優先モードにおいては、眼２０３の位置に重なるように眼のアイコン３０５を表示する。
【００３２】
撮影者は、ＳＷ１を押したまま、眼２０３が測距点２０２に重なるように撮像装置１００を動かす。図３（ｃ）に示すように、眼２０３が測距点２０２に重なったら、合焦したことが分かるように測距点２０２の強調表示を変更する。図３（ｃ）では、強調表示を一重線から二重線に変更している。さらに、構図優先モードにおいては、眼２０３から眼のアイコン３０５に向けて矢印型のアイコン３０６を表示する。
撮影者は、ＳＷ１を押したまま、眼２０３が眼のアイコン３０５に重なるように撮像装置１００を動かす。
【００３３】
図３（ｄ）に示すように、眼２０３が眼のアイコン３０５に重なった場合、アイコン３０６を非表示とし、代わりに、眼２０３がＳＷ１押下時の位置に戻ったことが分かるようなアイコン３０７を表示する。図３（ｄ）では『ＯＫ！』という文字をアイコン３０７としている。
【００３４】
撮影者はアイコン３０７を確認したら、そのままＳＷ２を押して撮影する。なお、アイコン３０７は、撮影者が直観的にＳＷ２を押すように導くような表現のものが望ましい。
【００３５】
次に、図４、図５、および図６のフローチャートを用いて、撮像装置１００の撮影フローについて説明する。
【００３６】
まず、図４のフローチャートについて説明する。Ｓ４０１において、ＣＰＵ１１０は、撮影者によって操作部１１１を操作し、ＳＷ１が押されたことを受信する。Ｓ４０２において、ＣＰＵ１１０は、ＡＦする測距点を決定する。顔優先ＡＦがＯＦＦである場合は、例えば、公知の技術である被写体認識やシーン判別をした結果を用いたり、焦点検出部１０４の測距結果を参照したりして、測距点を決定する。顔優先ＡＦモードや瞳ＡＦモードがＯＮである場合は、検出部１０８において取得された顔検出結果から、顔領域に含まれる測距点を決定する。
【００３７】
Ｓ４０３において、ＣＰＵ１１０は、撮像装置１００のＡＦモードとして瞳ＡＦモードが設定されているか否かを判定する。瞳ＡＦモードがＯＮである場合はＳ４０４へ遷移し、ＯＦＦである場合はＳ４０５へ遷移する。Ｓ４０４において、眼を測距点へ誘導させるような表示をする。Ｓ４０４の詳細は、図５を用いた詳細を後述する。
【００３８】
Ｓ４０５において、ＣＰＵ１１０は、焦点検出部１０５から得られたＡＦ用評価信号を用いて測距演算を行い、レンズ制御部１１２を制御する。Ｓ４０６において、ＣＰＵ１１０は、撮像装置１００のＡＦモードとして瞳ＡＦモード、且つ、構図優先モードが設定されているか否かを判定する。設定されていればＳ４０７へ遷移する。設定されていなければＳ４０８へ遷移する。
【００３９】
Ｓ４０７において、ＳＷ１押下時の構図へ誘導表示をする。Ｓ４０７の詳細は、図６を用いた詳細を後述する。Ｓ４０８において、撮影者によって操作部１１１を操作し、ＳＷ２が押されたことを受信する。Ｓ４０９において、撮影を行う。具体的には、レンズ１０１から得られた光学像を、センサ１１３で光電変換およびＡ／Ｄ変換し、画像処理部１１４において画像処理、および圧縮伸長部１１５において圧縮処理を施し、記録媒体１１６に保存する。
【００４０】
次に、図５のフローチャートを用いて、Ｓ４０４のフローについて説明する。Ｓ５０１において、測光センサ１０６および画像処理部１０７を介して評価用画像を取得する。Ｓ５０２において、検出部１０８は、人物の眼を検出するための器官検出を行う。Ｓ５０３において、ＣＰＵ１１０は、検出部１０８において眼を検出したか否かを判定する。眼を検出した場合は、Ｓ５０４へ遷移する。眼を検出しない場合は、Ｓ５１５に遷移する。
【００４１】
Ｓ５０４において、検出部１０８は、主眼を決定し、主眼とする眼の位置情報を取得する。Ｓ５０５において、位置判定部１０９は、検出部１０８で得られた眼の位置情報と、Ｓ４０２において決定された測距点の位置情報を比較し、一致したか否かを判定する。Ｓ５０６において、位置判定部１０９の判定結果が一致である場合、Ｓ５１２へ遷移する。不一致である場合、Ｓ５０７へ遷移する。
【００４２】
Ｓ５０７において、ＣＰＵ１１０は、構図優先モードが設定されているか否かを判定する。構図優先モードが設定されている場合は、Ｓ５０８へ遷移する。設定されていない場合は、Ｓ５１１へ遷移する。Ｓ５０８において、ＣＰＵ１１０は、ファインダ部１０３において眼のアイコンを表示中か否かを判定する。眼のアイコンを表示中であれば、Ｓ５１１に遷移する。表示中でなければ、Ｓ５０９に遷移する。Ｓ５０９において、位置判定部１０９は、Ｓ５０４で取得した眼の座標を記憶する。
【００４３】
Ｓ５１０において、ＣＰＵ１１０は、図３（ｂ）における３０５に示すように、ファインダ部１０３においてピントを合わせる眼の位置に眼のアイコンを表示する。Ｓ５１１において、ＣＰＵ１１０は、図２（ｂ）および図３（ｂ）における２０４に示すように、ファインダ部１０３において眼から測距点に向けて矢印型のアイコンを表示し、Ｓ５０１へ遷移する。
【００４４】
Ｓ５１２において、ＣＰＵ１１０は、図２（ｃ）および図３（ｃ）における２０２に示すように、ファインダ部１０３において測距点を強調表示する。Ｓ５１３において、ＣＰＵ１１０は、構図優先モードが設定されているか否かを判定する。構図優先モードが設定されている場合は、Ｓ４０４のフローを終了する。設定されていない場合は、Ｓ５１４へ遷移する。
【００４５】
Ｓ５１４において、ＣＰＵ１１０は、図２（ｃ）における２０５に示すように、ファインダ部１０３において眼に合焦したことを示すアイコンを表示し、Ｓ４０４のフローを終了する。Ｓ５１５において、ＣＰＵ１１０は、検出部１０８において眼が検出されなかった結果を受け、ファインダ部１０３においてアイコンが非表示となる状態にし、Ｓ４０４のフローを終了する。
【００４６】
次に、図６のフローチャートを用いて、Ｓ４０７のフローについて説明する。図５のフローチャートと同じ処理については同じ番号を付してある。Ｓ６０１において、位置判定部１０９は、Ｓ５０９において記憶した元の眼の座標と、現在の眼の座標を比較する。Ｓ５０６において、Ｓ６０１の比較結果が一致した場合はＳ６０３に遷移する。不一致した場合はＳ６０２に遷移する。Ｓ６０２において、図３（ｃ）の３０６に示すように、現在の眼の位置から眼のアイコン３０５に向けて矢印型のアイコンを表示する。Ｓ６０３において、図３（ｄ）の３０７に示すように、現在の眼の位置が、眼のアイコン３０５に重なったことを示すアイコンを表示し、Ｓ４０７のフローを終了する。
【００４７】
以上述べたように、本実施例によれば、ファインダを使った撮影において、瞳ＡＦができるようユーザーをアシストすることが可能となる。
【符号の説明】
【００４８】
１０１  レンズ
１０２  ミラー機構
１０３  ファインダ部
１０４  測距センサ
１０５  焦点検出部
１０６  測光センサ
１０７  画像処理部
１０８  検出部
１０９  位置判定部
１１０  ＣＰＵ
１１１  操作部
１１２  レンズ制御部
１１３  センサ
１１４  画像処理部
１１５  圧縮伸長部
１１６  記録媒体
１１７  ＤＲＡＭ
【図１】
2019023686.tif 000003
【図２】
2019023686.tif 000004
【図３】
2019023686.tif 000005
【図４】
2019023686.tif 000006
【図５】
2019023686.tif 000007
【図６】
2019023686.tif 000008